(57)【要約】【課題】改札通路の通過方向と直交する方向にフラップが進出し、また、その進出したフラップが筐体内に後退する自動改札機のフラップ機構を簡易化・コンパクト化するとともに、フラップの移動を円滑にする。【解決手段】フラップは、外フラップ内に出入自在に収納された内フラップとからなり、その内フラップの下部側には、その内フラップを回動させる駆動機構が設けられており、前記両フラップの上部側は、第１のリンク棒及び第２のリンク棒からなる第１のリンク機構で連結されており、前記第１のリンク棒には、軸心方向がその第１のリンク棒の長手方向と直交する所定の長さを有する軸部が設けられており、その軸部は、両フラップの回動方向とほぼ同じ方向に伸びる筐体側に固定して設けられた溝条内を移動するものであることを特徴としている。【選択図】図８
2008027367.tif 000002
【特許請求の範囲】
【請求項１】
一人の利用者が通過できる所定の幅を有する改札通路を中間に挟んで設けられた一対の筐体からそれぞれその改札通路の通過方向と直交する方向にフラップが突出したときに、その改札通路における利用者の通過を阻止し、それら突出したフラップがそれぞれ筐体内に収納されたときに、その改札通路における利用者の通過を許可する自動改札機において、
前記各フラップは、下部側において支軸に回転自在に軸支された外フラップと、その外フラップと同一の支軸に回転自在に軸支され、かつ、その外フラップ内に出入自在に収納された内フラップとからなり、
前記内フラップには、その内フラップの下部側で、かつ、前記支軸よりも上側に、その内フラップを回動させる駆動機構が設けられており、
前記外フラップ及び前記内フラップのそれぞれ上部側は、その外フラップ側に連結された第１のリンク棒及びその内フラップ側に連結された第２のリンク棒からなる第１のリンク機構で連結されており、
前記第１のリンク棒には、前記外フラップへの連結部と前記第２のリンク棒との連結部との間の所定位置に、軸心方向がその第１のリンク棒の長手方向と直交する所定の長さを有する軸部が設けられており、
前記軸部は、前記外フラップ及び前記内フラップの回動方向とほぼ同じ方向に伸びる前記筐体側に固定して設けられた溝条内を移動するものである、
ことを特徴とする自動改札機。
【請求項２】
一人の利用者が通過できる所定の幅を有する改札通路を中間に挟んで設けられた一対の筐体からそれぞれその改札通路の通過方向と直交する方向にフラップが突出したときに、その改札通路における利用者の通過を阻止し、それら突出したフラップがそれぞれ筐体内に収納されたときに、その改札通路における利用者の通過を許可する自動改札機において、
前記各フラップは、下部側において支軸に回転自在に軸支された外フラップと、その外フラップと同一の支軸に回転自在に軸支され、かつ、その外フラップ内に出入自在に収納された内フラップとからなり、
前記外フラップ及び前記内フラップのそれぞれ上部側は、その外フラップ側に連結された第１のリンク棒及びその内フラップ側に連結された第２のリンク棒からなる第１のリンク機構で連結されており、
前記内フラップには、その内フラップの下部側で、かつ、前記支軸よりも上側に、その内フラップを回動させる駆動機構が設けられており、
前記駆動機構は、モータと、そのモータ及び前記内フラップ間に設けられる第１のリンク片及び第２のリンク片からなる第２のリンク機構とからなる、
ことを特徴とする自動改札機。
【請求項３】
一人の利用者が通過できる所定の幅を有する改札通路を中間に挟んで設けられた一対の筐体からそれぞれその改札通路の通過方向と直交する方向にフラップが突出したときに、その改札通路における利用者の通過を阻止し、それら突出したフラップがそれぞれ筐体内に収納されたときに、その改札通路における利用者の通過を許可する自動改札機において、
前記各フラップは、下部側において支軸に回転自在に軸支された外フラップと、その外フラップと同一の支軸に回転自在に軸支され、かつ、その外フラップ内に出入自在に収納された内フラップとからなり、
前記外フラップは、その外フラップの上辺部が潤滑性に富み、かつ、耐摩耗性に富む材質からなり、さらに、その外フラップの上辺部は、前記筐体側に固定して設けられた案内部を摺動するものであること、
を特徴とする自動改札機。
【請求項４】
請求項３に記載の自動改札機において、前記外フラップの上辺部の材質は、硬質の合成樹脂からなることを特徴とする自動改札機。
【請求項５】
請求項１〜４のいずれかに記載の自動改札機において、前記第１のリンク機構は、前記外フラップ及び前記内フラップのそれぞれ上部側で、かつ、前記改札通路側と反対側に設けられていることを特徴とする自動改札機。
【発明の詳細な説明】
【技術分野】
【０００１】
本願発明は自動改札機に係り、特に、フラップが改札通路の通過方向と直交する方向に筐体から突出して改札通路を閉じ、また、その突出したフラップが筐体内に収納して改札通路を開く、いわゆる鋏式の自動改札機に関する。
【背景技術】
【０００２】
従来、この種の鋏式の自動改札機は、一人の利用者（旅客）が通過できる所定の通路幅を有する改札通路を中間に挟んで設けられた一対の筐体を有している。そして、それら筐体からは、改札通路の通過方向と直交する方向に扁平な板材からなり、かつ、所定の平面積を有するフラップがそれぞれ突出（進出）できるように構成されているとともに、それら進出したフラップがそれぞれ筐体内に収納（後退）できるように構成されている（非特許文献１参照）。
【０００３】
したがって、上記構成からなる鋏式の自動改札機は、一対の筐体からフラップがそれぞれ突出してきたときに改札通路における利用者の通過を阻止することができ、また、改札通路側に突出したそれらフラップが筐体内にそれぞれ収納されたときに改札通路における利用者の通過を許可することができる。この鋏式の自動改札機は、一対の筐体からそれぞれフラップが突出したときに、改札通路の通過方向と直交する通過面積の多くを突出したフラップで覆うことができるので、高い通過阻止能力を有している。
【０００４】
また、一般に、鋏式の自動改札機は、各筐体の幅（改札通路の通過方向と直交する方向の筐体の長さ）を可能な限り小さくするために、各筐体に設けられるフラップが２枚組に構成されている。すなわち、このフラップは、外フラップとその外フラップ内に出入自在に設けられた内フラップとで構成されている。
【非特許文献１】２００３年８月２０日公告  中華人民共和国意匠公報ＣＮ３３１５０８７Ｄ
【発明の開示】
【発明が解決しようとする課題】
【０００５】
しかしながら、上記従来のフラップが改札通路の通過方向と直交する方向に突出（進出）して利用者の通過を阻止し、その突出したフラップが筐体内に収納（後退）して利用者の通過を許可する鋏式の自動改札機においては、幅の小さい筐体内にフラップユニットを高密度に実装しなければならず、このため、フラップユニットの一層の簡易化及びコンパクト化が望まれていた。また、フラップユニットは、自動改札機の性質上、開閉動作の頻度が高く、このため、耐久性に優れたフラップユニットの出現が待たれていた。さらに、自動改札機は、人間を対象とした機器であるため、改札通路側には、フラップ以外の突起物がなく、しかも見栄えがよく、つまり人間（利用者）に優しい自動改札機とすることが望まれていた。
【０００６】
そこで、本発明は、上記要望に応えるためのなされたものであって、その目的は、簡易化・コンパクト化されて実装密度を高くすることができ、さらに、耐久性に優れ、しかも、人間に優しい自動改札機を提供することにある。
【課題を解決するための手段】
【０００７】
本発明に係る自動改札機は、上記目的を達成するために、請求項１に記載の発明は、一人の利用者が通過できる所定の幅を有する改札通路を中間に挟んで設けられた一対の筐体からそれぞれその改札通路の通過方向と直交する方向にフラップが突出したときに、その改札通路における利用者の通過を阻止し、それら突出したフラップがそれぞれ筐体内に収納されたときに、その改札通路における利用者の通過を許可する自動改札機において、前記各フラップは、下部側において支軸に回転自在に軸支された外フラップと、その外フラップと同一の支軸に回転自在に軸支され、かつ、その外フラップ内に出入自在に収納された内フラップとからなり、前記内フラップには、その内フラップの下部側で、かつ、前記支軸よりも上側に、その内フラップを回動させる駆動機構が設けられており、前記外フラップ及び前記内フラップのそれぞれ上部側は、その外フラップ側に連結された第１のリンク棒及びその内フラップ側に連結された第２のリンク棒からなる第１のリンク機構で連結されており、前記第１のリンク棒には、前記外フラップへの連結部と前記第２のリンク棒との連結部との間の所定位置に、軸心方向がその第１のリンク棒の長手方向と直交する所定の長さを有する軸部が設けられており、その軸部は、前記外フラップ及び前記内フラップの回動方向とほぼ同じ方向に伸びる前記筐体側に固定して設けられた溝条内を移動するものであることを特徴としている。
本発明の請求項２に記載の自動改札機は、一人の利用者が通過できる所定の幅を有する改札通路を中間に挟んで設けられた一対の筐体からそれぞれその改札通路の通過方向と直交する方向にフラップが突出したときに、その改札通路における利用者の通過を阻止し、それら突出したフラップがそれぞれ筐体内に収納されたときに、その改札通路における利用者の通過を許可する自動改札機において、前記各フラップは、下部側において支軸に回転自在に軸支された外フラップと、その外フラップと同一の支軸に回転自在に軸支され、かつ、その外フラップ内に出入自在に収納された内フラップとからなり、前記外フラップ及び前記内フラップのそれぞれ上部側は、その外フラップ側に連結された第１のリンク棒及びその内フラップ側に連結された第２のリンク棒からなる第１のリンク機構で連結されており、前記内フラップには、その内フラップの下部側で、かつ、前記支軸よりも上側に、その内フラップを回動させる駆動機構が設けられており、その駆動機構は、モータと、そのモータ及び前記内フラップ間に設けられる第１のリンク片及び第２のリンク片からなる第２のリンク機構とからなることを特徴としている。
本発明の請求項３に記載の自動改札機は、一人の利用者が通過できる所定の幅を有する改札通路を中間に挟んで設けられた一対の筐体からそれぞれその改札通路の通過方向と直交する方向にフラップが突出したときに、その改札通路における利用者の通過を阻止し、それら突出したフラップがそれぞれ筐体内に収納されたときに、その改札通路における利用者の通過を許可する自動改札機において、前記各フラップは、下部側において支軸に回転自在に軸支された外フラップと、その外フラップと同一の支軸に回転自在に軸支され、かつ、その外フラップ内に出入自在に収納された内フラップとからなり、前記外フラップは、その外フラップの上辺部が潤滑性に富み、かつ、耐摩耗性に富む材質からなり、さらに、その外フラップの上辺部は、前記筐体側に固定して設けられた案内部を摺動するものであることを特徴としている。
本発明の請求項４に記載の自動改札機は、外フラップの上辺部の材質は、硬質の合成樹脂からなることを特徴としている。
本発明の請求項５に記載の自動改札機は、第１のリンク機構は、外フラップ及び内フラップのそれぞれ上部側で、かつ、改札通路側と反対側に設けられていることを特徴としている。
【発明の効果】
【０００８】
本発明の請求項１に記載の自動改札機は、フラップが、下部側において支軸に回転自在に軸支された外フラップと、その外フラップと同一の支軸に回転自在に軸支され、かつ、その外フラップ内に出入自在に収納された内フラップとからなり、その内フラップには、その内フラップの下部側で、かつ、前記支軸よりも上側に、その内フラップを回動させる駆動機構が設けられており、前記外フラップ及び前記内フラップのそれぞれ上部側は、その外フラップ側に連結された第１のリンク棒及びその内フラップ側に連結された第２のリンク棒からなる第１のリンク機構で連結されており、前記第１のリンク棒には、前記外フラップへの連結部と前記第２のリンク棒との連結部との間の所定位置に、軸心方向がその第１のリンク棒の長手方向と直交する所定の長さを有する軸部が設けられており、その軸部は、前記外フラップ及び前記内フラップの回動方向とほぼ同じ方向に伸びる前記筐体側に固定して設けられた溝条内を移動するものであるから、内フラップの回動に合わせ外フラップを引き連れる形で回動でき、両フラップの開閉動作を円滑に行わせることができる。しかも、両フラップの開閉動作が円滑に行われるために、開閉時の衝撃が小さく、したがって耐久性に優れたものとすることができる。
本発明の請求項２に記載の自動改札機は、フラップが、下部側において支軸に回転自在に軸支された外フラップと、その外フラップと同一の支軸に回転自在に軸支され、かつ、その外フラップ内に出入自在に収納された内フラップとからなり、前記外フラップ及び前記内フラップのそれぞれ上部側は、その外フラップ側に連結された第１のリンク棒及びその内フラップ側に連結された第２のリンク棒からなる第１のリンク機構で連結されており、前記内フラップには、その内フラップの下部側で、かつ、前記支軸よりも上側に、その内フラップを回動させる駆動機構が設けられており、その駆動機構は、モータと、そのモータ及び前記内フラップ間に設けられる第１のリンク片及び第２のリンク片からなる第２のリンク機構とからなるので、フラップとモータとの間に２本のリンク片が介在しているからフラップに加わる衝撃がモータに直接伝わらず、モータを効果的に保護することができる。特に、２本のリンク片が一直線状とならない山形でフラップとモータとの間に介在しているときは、よりモータの保護効果を高めることができる。
本発明の請求項３に記載の自動改札機は、フラップが、下部側において支軸に回転自在に軸支された外フラップと、その外フラップと同一の支軸に回転自在に軸支され、かつ、その外フラップ内に出入自在に収納された内フラップとからなり、前記外フラップは、その外フラップの上辺部が潤滑性に富み、かつ、耐摩耗性に富む材質からなり、さらに、その外フラップの上辺部は、筐体側に固定して設けられた案内部を摺動するので、フラップの移動（回動）が円滑に行われるとともに、フラップの寿命を延ばすことができる。
本発明の請求項４に記載の自動改札機は、外フラップの上辺部の材質は、硬質の合成樹脂からなるので、容易に、かつ、安価に実施することができる。
本発明の請求項５に記載の自動改札機は、第１のリンク機構が外フラップ及び内フラップのそれぞれ上部側で、かつ、改札通路側と反対側に設けられているので、第１のリンク機構が改札通路側に現れることがなく、見栄えが良くなるだけでなく、改札通路側の突起物を効果的に無くすことができる。
【発明を実施するための最良の形態】
【０００９】
以下、本発明を実施するための最良の形態を図面を用いて説明する。図１は、本発明の一実施の形態に係る自動改札機Ｇの平面図であり、図２（ａ）は、フラップＦ1，Ｆ2が改札通路Ｐ側に突出してその改札通路Ｐを閉じて利用者（旅客）の通過を阻止している状態を示す、上記図１を下方から見た図に相当する正面図、図２（ｂ）は、フラップＦ1，Ｆ2が後退して改札通路Ｐを開いて利用者の通過が許可されている状態を示す、上記図１を下方から見た図に相当する正面図、図３は、上記図１をＸ1−Ｘ1線矢印方向から見た側面図である。
【００１０】
自動改札機Ｇは、１人の大人の利用者が余裕をもって通過できる所定の通路幅の改札通路Ｐを中間に挟んで設けられた一対の筐体Ｈ1，Ｈ2を有している。これら筐体Ｈ1，Ｈ2は、改札通路Ｐの通過方向に沿って所定の長さを有するとともに、その改札通路Ｐの通過方向と直交する方向に沿って所定の幅を有し、かつ、大人の利用者の背丈の約半分程の高さを有する直方体状に形成されている。なお、改札通路Ｐの通路幅は、車いすが通過できるように幅広に形成されている場合もある。
【００１１】
各筐体Ｈ1，Ｈ2は、同一構成なので、以下、筐体Ｈ1を例に説明すると、筐体Ｈ1の入口側（図１においては上側）の端面上部には、非接触型ＩＣカード（図示せず）の投入口１が設けられているとともに、その筐体Ｈ1の入口側の上面には、非接触型ＩＣカードと交信を行うためのアンテナＡが設けられている。そして、その筐体の上面で投入口１と反対側のアンテナＡの近くには、アンテナＡに非接触型ＩＣカードがタッチされ、又はそのアンテナＡに非接触型ＩＣカードがかざされた（以下、タッチで説明する。）ときの交信状態を表示する交信状態表示部２が設けられている。また、この筐体Ｈ1の端面上部には、図２（ａ），（ｂ）の筐体Ｈ2の端面上部に設けられていると同様の案内表示部３が設けられている。この案内表示部３には、改札通路Ｐへの進入を許可するとき、図２（ａ），（ｂ）に示される矢印のような進入を許可するマークが表示され、その改札通路Ｐへの進入を不許可とするとき、×印等の進入を禁止するマークが表示されるように構成されている。
【００１２】
図３中、４ａ〜４ｈは、光電式センサからなる透過型人間検知器であって、筐体Ｈ1の改札通路Ｐ側の側面上部に、かつ、その改札通路Ｐの通過方向に沿って所定の間を保って複数個（図示の例では８個）設けられている。すなわち、これら透過型人間検知器４ａ〜４ｈは、他方の筐体Ｈ2にも対向して設けられていて、一方の筐体Ｈ1（又はＨ2）側から照射された光線が他方の筐体Ｈ2（又はＨ1）側で受光できたか否かにより、改札通路Ｐ内の利用者を検知できるように構成されている。
【００１３】
図３中、５ａ〜５ｃは、赤外線等の所定の反射光を利用した測距式のセンサからなる反射型人間検知器であって、筐体Ｈ1の上面で、かつ、改札通路Ｐと反対側で、その改札通路Ｐの通過方向に沿って突出するように設けられたセンサボックスＨ1´内に設けられている。すなわち、これら反射型人間検知器５ａ〜５ｃは、センサボックスＨ1´内に改札通路Ｐの通過方向に沿って所定の間隔を保って複数個（図示の例では３個）設けられている。これら反射型人間検知器５ａ〜５ｃは、改札通路Ｐ内の大人の利用者を検知できるように、改札通路Ｐの床面から所定高さ以上の物体（利用者）を検知できるように構成されている。したがって、透過型人間検知器４ａ〜４ｈ及び反射型人間検知器５ａ〜５ｃの両方で検知されたときは、その利用者を大人の利用者と判定し、反射型人間検知器５ａ〜５ｃで検知されることなく透過型人間検知器４ａ〜４ｈのみで検知されたときは、その利用者を子供（小児）の利用者と判定することができる。
【００１４】
図３中、６はスピーカであって、筐体Ｈ1の改札通路Ｐ側の側面上部のほぼ中央部に設けられている。このスピーカ６は、利用者に対して音声により所定の内容の案内ができるように構成されている。また、図３中、７は開ボタンであって、筐体Ｈ1の改札通路Ｐの入口側及び出口側の両端面のほぼ中央部にそれぞれ設けられている。この開ボタン７は、係員（駅員）が改札通路Ｐ側に突出しているフラップＦ1を手動で開くときに押下される。
【００１５】
上述した一対の筐体Ｈ1，Ｈ2には、投入口１、アンテナＡ、交信状態表示部２及び案内表示部３の各機器がそれぞれ設けられていて、自動改札機Ｇが入場及び出場の両方に使用できる、いわゆる双方向型の自動改札機用に構成されている。しかし、自動改札機Ｇが入場又は出場の専用型の自動改札機のとき、これら機器は、いずれか一方の筐体のみに設けられる。
【００１６】
さて、図中、Ｆ1はフラップであって、筐体Ｈ1内に縦長に設けられている。そして、その筐体Ｈ1の改札通路Ｐ側の側面に設けられている縦長にあけられた開口８からは、改札通路Ｐの通過方向と直交する方向にフラップＦ1の外フラップｆ1及びフ内ラップｆ2が突出（進出）し、その突出した外フラップｆ1及び内フラップｆ2が筐体Ｈ1内に収納（後退）できるように構成されている。このフラップＦ1の設けられる筐体Ｈ1の上面は、外フラップｆ1及び内フラップｆ2の高さを必要、かつ、十分に確保するために、他の上面箇所よりも少し高く形成されている。
【００１７】
なお、図示の例では、フラップＦ1，Ｆ2は、自動改札機Ｇが双方向型に形成されているため、フラップＦ1，Ｆ2は、改札通路Ｐの通過方向の中央部に対応する箇所の筐体Ｈ1，Ｈ2にそれぞれ設けられているが、自動改札機Ｇが専用型のときは、改札通路Ｐの出口側に対応する箇所の筐体Ｈ1，Ｈ2にそれぞれ設けられる。この場合は、筐体Ｈ1，Ｈ2の長さは、図示の双方向型のときよりもほぼ半分とすることができる。
【００１８】
図４は、筐体Ｈ1内に設けられるフラップＦ1側のフラップユニットＦ'1の斜視図である。以下、この図４に示されるフラップユニットＦ'1について詳述する。なお、他方の筐体Ｈ2に設けられるフラップＦ2側のフラップユニットＦ'2（図示せず）は、このフラップＦ1側のフラップユニットＦ'1と左右対称に構成されるだけで、その構造は同一である。したがって、他方の筐体Ｈ2に設けられるフラップユニットＦ'2の説明は省略する。
【００１９】
このフラップＦ1は、図示しないボルト・ナット等の固定手段により、筐体Ｈ1に着脱自在に固定されるフレーム１０上に組立てられている。したがって、このフレーム１０が筐体Ｈ1に固定されたときは、フレーム１０と筐体Ｈ1とが一体化されることとなる。このため、フレーム１０に固定されるということは、本願発明における「筐体側に固定される」と同じことを意味している。このフレーム１０には、駆動機構の一部を構成する正回転及び逆回転可能なモータ１１と、このモータ１１を駆動源として回動される内フラップｆ1及び外フラップｆ2が設けられている。このモータ１１は、後述する図６（ａ），（ｂ）に示されるように、内フラップｆ2の下部側で、かつ、改札通路Ｐと反対側（図６（ａ），（ｂ）では左側）に設けられている。
【００２０】
図５は、図４の上部部分を反対方向から見た拡大斜視図である。これら図４及び図５から明らかなように、内フラップｆ2は、外フラップｆ1内に出入自在に設けられている。そして、外フラップｆ1の上辺部１２は、潤滑性に富み、かつ、耐摩耗性に富む合成樹脂で作られている。このような合成樹脂としては、ポリアセタール樹脂があげられる。ポリアセタール樹脂は、容易に、かつ、安価に入手することができる。もちろん、この上辺部１２は、ＳＵＳ等の金属製とすることもできるが、合成樹脂製の方が利用者がフラップに接触したときの衝撃が柔らかく、しかも見栄えが良く、人間に優しいフラップとすることもできる。
【００２１】
この外フラップｆ1の上辺部１２は、フレーム１０に固定された案内部１３により摺動可能に支持され、外フラップｆ1の回動が円滑に行えるように工夫されている。すなわち、この案内部１３は、外フラップｆ1を所定の間隙を有して上方から挟むようにしてフレーム１０に固定されている。
【００２２】
次に、図６（ａ），（ｂ）を用いて外フラップｆ1及び内フラップｆ2を説明する。この図６（ａ），（ｂ）は、図４に示されるフラップユニットＦ'1から外フラップｆ1及び内フラップｆ2を抜き出して示したもので、図６（ａ）は、外フラップｆ1内に内フラップｆ2が収納された状態を示していて、上記図２（ｂ）の状態に相当している。そして、図６（ｂ）は、外フラップｆ1から内フラップｆ2が突出した状態を示していて、上記図２（ａ）の状態に相当している。
【００２３】
外フラップｆ1及び内フラップｆ2の平面形状は、図６（ａ），（ｂ）に示されるように、それぞれほぼ縦長の長方形を呈し、その長方形の短辺の長さは、筐体Ｈ1の幅の長さよりも十分に小さく決められているとともに、外フラップｆ1及び内フラップｆ2の短辺の長さの合計は、ほぼ改札通路Ｐの通路幅の半分となるように決められている。そして、これら外フラップｆ1及び内フラップｆ2は、下部側においてフレーム１０に設けられている支軸１４に回転自在に軸支されている。筐体Ｈ2に設けられるフラップＦ2の外フラップｆ1及び内フラップｆ2の短辺の長さの合計も、筐体Ｈ1側と同様に、ほぼ改札通路Ｐの通路幅の半分となるように決められているので、各フラップＦ1，Ｆ2の外フラップｆ1，ｆ1及び内フラップｆ2，ｆ2がそれぞれ改札通路Ｐ側に突出したときは、改札通路Ｐを完全な形で閉止することができる（図２（ａ）参照）。なお、この閉止状態においても、フラップＦ1の内フラップｆ1とフラップＦ2の内フラップｆ1とが接触（衝突）しないように、各フラップＦ1，Ｆ2の突出量が決められている。
【００２４】
外フラップｆ1及び内フラップｆ2は、上部側において、改札通路Ｐと反対側（図６（ａ），（ｂ）において左側）で第１のリンク機構１５を介して連結されている。すなわち、この第１のリンク機構１５は、外フラップｆ1に連結された扁平で、かつ、所定の長さを有する第１のリンク棒１６と、内フラップｆ2に連結された扁平で、かつ、所定の長さを有し、第１のリンク棒１６を両側から挟むように設けられた一対の第２のリンク棒１７とを有している。そして、第１のリンク棒１６は、その長手方向の一端側が支軸１６ａを介して外フラップｆ1に回動自在に連結されて連結部を形成し、第２のリンク棒１７は、その長手方向の一端側は支軸１７ａを介して内フラップｆ2に回動自在に連結されて連結部を形成している。さらに、両リンク棒１６，１７は、それぞれ長手方向の他端側において支軸１５ａを介して回動自在に連結されて連結部を形成している。これら両リンク棒１６，１７の合計の長さは、図６（ｂ）に示されるように、外フラップｆ1から進出した内フラップｆ2が外フラップｆ1から完全に出ないように決められている。
【００２５】
上記第１のリンク棒１６には、軸部１８が設けられている。すなわち、この軸部１８は、第１のリンク棒１６の支軸１６ａ（連結部）と支軸１５ａ（連結部）との間の支軸１６ａ寄りで、かつ、その第１のリンク棒１６の長手方向と直交する方向に所定距離伸びて設けられている。この軸部１８の長さは、その軸部１８の先端部がフレーム１０に固定して設けられている溝部材１９の溝条２０内に挿入できるように決められている。図７には、この溝部材１９の斜視図が示されている。また、この第１のリンク棒１６に設けられている軸部１８は、フレーム１０に設けられている溝部材１９まで突出しているため、その軸部１８に対向する外フラップｆ1の部分には、外フラップｆ1の一部を切り欠いて形成された切欠部１８ａが形成されている（図９参照）。この切欠部１８ａの大きさは、第１のリンク棒１６の動きに障害とならないように配慮されている。なお、上記軸部１８には、その軸部１８の溝条２０内に挿入される先端部分にボールベアリング等の回転体を設けて、溝条２０内における軸部１８の移動が円滑に行われるようにしてもよい。
【００２６】
上記溝部材１９に設けられている溝条２０は、軸部１８が自由に移動できる幅を有し、その溝条２０の長手方向は、改札通路Ｐの通過方向と直交する方向で、かつ、改札通路Ｐ側（図７において右側）が少し上向きとなる一直線に形成されている。なお、この溝条２０の長手方向の向きを支軸１４を中心にした軸部１８の円軌跡に合わせた円弧状とすることもできる。
【００２７】
図６（ａ），（ｂ）中、２１は第２のリンク機構であって、本発明の駆動機構の一部を構成しており、ブロック状の第１のリンク片２２と、扁平な所定の長さを有する第２のリンク片２３とで構成されている。第１のリンク片２２は、その一端側がモータ１１の回転軸に連結された駆動軸１１ａに固定され、その他端側は、第２のリンク片２３の一端側と支軸２４を介して回動自在に連結されている。そして、その第２のリンク片２３の他端側は、支軸２５を介して内フラップｆ2に回転自在に連結されている。
【００２８】
上述のように、本発明の駆動機構は、モータ１１の回転軸に連なる駆動軸１１ａが、直接、内フラップｆ2に接続されていないので、仮に内フラップｆ2又は外フラップｆ1に大きな力が作用しても第１のリンク片２２及び第２のリンク片２３で衝撃力が緩和され、モータ１１を保護することができる。特に、２本のリンク片２２，２３を結ぶ線が一直線状とならない山形で内フラップｆ2とモータ１１との間に介在しているので、よりモータ１１の保護効果を高めることができる。
【００２９】
図８は、上記図６（ａ）の第１のリンク機構１５部分を抜き出した詳細図であり、図９は、図８を左斜め下方から見た拡大斜視図である。そして、図１０（ａ），（ｂ）は、駆動軸１１ａが回転駆動して内フラップｆ2を回動させ、その内フラップｆ2の回動に引きつられて外フラップｆ1が回動する状態を示している。
【００３０】
以下、上記構成からなるフラップＦ1，Ｆ2の開閉動作について説明する。なお、筐体Ｈ2側に設けられるフラップＦ2は、筐体Ｈ1側に設けられるフラップＦ1と左右対称に動作するだけであるので、ここでは筐体Ｈ1側のフラップＦ1の動作のみについて説明する。先ず、フラップＦ1が上記図２（ｂ）に示される筐体Ｈ1に収納されている状態から、図２（ａ）に示される改札通路Ｐ側に突出する状態について説明する。なお、この収納から突出の動作は、自動改札機Ｇが稼動中で、かつ、利用者が改札通路Ｐから出たときに行われる。
【００３１】
今、図１において、改札通路Ｐを利用者が下から上の方へ移動し、その利用者が透過型人間検知器４ｈ又は反射型人間検知器５ｃで改札通路Ｐから出たことが検知されると、駆動軸１１ａが正回転（図６（ａ），（ｂ）において時計方向の回転）が開始される。この回転により内フラップｆ2は支軸１４を中心にして正回転が開始され、その正回転により内フラップｆ2の上部側に設けられている支軸１７ａに対して図８に矢印ａ方向で示される力が発生する。
【００３２】
支軸１７ａに矢印ａ方向の力が作用すると、第１のリンク棒１６には、図８に示されるように、支軸１７ａに係る第２のリンク棒１７の動きに合わせて支軸１６ａを中心にして反時計方向に回転しようとする力が作用する。しかし、この第１のリンク棒１６には、溝部材１９の溝条２０に先端部を挿入している軸部１８が設けられているので、その軸部１８の箇所には、その回転を制限しようとする矢印ｂ方向で示される力が発生するとともに、その軸部１８は、矢印ａ方向の力により溝条２０内を右方向へ移動することになる。そして、その軸部１８の移動は、第１のリンク棒１６の支軸１６ａに対して矢印ｃ方向で示される力を発生させる。この矢印ｃ方向の力は、外フラップｆ1に対して支軸１４（図６（ａ），（ｂ）参照）を中心にした正回転方向の力を発生させる。このようにして、外フラップｆ1も内フラップｆ2の移動に合わせて徐々に正回転の方向へ回動することとなる。
【００３３】
図１０（ａ）は、上述の正回転の途中を示している。また、図１０（ｂ）は、モータ１１の回転軸に連なる駆動軸１１ａが内フラップｆ2を最終段階の位置まで正回転させたときを示していて、上記図６（ｂ）の状態に相当している。なお、図６（ａ），（ｂ）では、図面を簡略化するために省略されているが、内フラップｆ2の下部側に対向するフレーム１０には、図６（ｂ）の位置で内フラップｆ2がこれ以上正回転しないようにするためのストッパが設けられているとともに、その内フラップｆ2の下部側に対向するフレーム１０には、図６（ａ）の位置で内フラップｆ2がこれ以上逆回転（図６（ａ），（ｂ）において反時計方向の回転）しないようにするためのストッパが設けられている。また、図６（ａ），（ｂ）では省略されているが、内フラップｆ2の下部側には、モータ１１の電源がＯＦＦになったときに、内フラップｆ2を図６（ａ）に示される状態に自動的に復帰できるバネ部材が設けられている。このバネ部材は、支軸１４に巻回されるコイルバネで構成することができる。したがって、モータ１１は、このばね部材の力に抗して内フラップｆ2を正回転させる力を有している。
【００３４】
上述のようにして改札通路Ｐ側に突出して、改札通路Ｐの利用者の通過を阻止しているフラップＦ1，Ｆ2は、アンテナＡに有効な非接触型ＩＣカードがタッチされると、又は自動改札機Ｇが出場用に設定されていて、普通乗車券等のように回収して繰り返し使用される有効な短期使用券としての非接触型ＩＣカードが投入口に投入されると、フラップＦ1は筐体Ｈ1内に、またフラップＦ2は筐体Ｈ2内に収納が開始される。筐体Ｈ1側のフラップＦ1の収納動作及び筐体Ｈ2側のフラップＦ2の収納動作は、左右対称に動作するだけなので、ここではフラップＦ1についてのみ説明する。
【００３５】
モータ１１の回転軸に連なる駆動軸１１ａの逆回転（図６（ａ），（ｂ）において反時計方向の回転）が開始されると、外フラップｆ1及び内フラップｆ2は、上述した外フラップｆ1及び内フラップｆ2の動作と逆に動作される。すなわち、これら両フラップｆ1，ｆ2は、上記図１０（ｂ）、図１０（ａ）及び図８の順に動作し、内フラップｆ2に外フラップｆ1が連れまわされるようにして移動される。そして、フラップＦ1は筐体Ｈ1内に完全に収納される。また、筐体Ｈ2側のフラップＦ2も完全に収納されるので、改札通路Ｐが開かれて利用者の通過が許可される。
【図面の簡単な説明】
【００３６】
【図１】本発明の一実施の形態に係る自動改札機の平面図である。
【図２】（ａ）は、フラップが突出して利用者の改札通路の通過を阻止した状態を示す、図１を下方から見た図に相当する正面図、（ｂ）は、フラップが収納されて利用者の改札通路の通過が許可された状態を示す、図１を下方から見た図に相当する正面図である。
【図３】図１をＸ1−Ｘ1線矢印方向から見た側面図である。
【図４】フラップユニットの斜視図である。
【図５】図４の上部を異なる方向から見た拡大斜視図である。
【図６】図４のフラップユニットから外フラップ及び内フラップの部分を抜き出したもので、（ａ）は、外フラップ内に内フラップが収納された状態を示す正面図、（ｂ）は、外フラップから内フラップが突出した状態を示す正面図である。
【図７】溝条部材の斜視図である。
【図８】溝条部材とリンク機構との関係を示す説明図である。
【図９】図８を左斜め下方から見たときの拡大斜視図である。
【図１０】リンク機構の動作状態を示すもので、（ａ）は動作の途中の状態を示し、（ｂ）は動作の終了状態を示している。
【符号の説明】
【００３７】
Ｇ  自動改札機
Ｐ  改札通路
Ｈ1，Ｈ2  筐体
Ｆ'1，Ｆ'2  フラップユニット
Ｆ1，Ｆ2  フラップ
ｆ1  外フラップ
ｆ2  内フラップ
Ａ  アンテナ
１  投入口
２  交信状態表示部
３  案内表示部
４ａ〜４ｈ  透過型人間検知器
５ａ〜５ｃ  反射型人間検知器
６  スピーカ
７  開ボタン
８  開口
１０  フレーム
１１  モータ
１１ａ  駆動軸
１２  上辺部
１３  案内部
１４  支軸
１５  第１のリンク機構
１５ａ  支軸
１６  第１のリンク棒
１６ａ  支軸
１７  第２のリンク棒
１７ａ  支軸
１８  軸部
１９  溝部材
２０  溝条
２１  第２のリンク機構
２２  第１のリンク片
２３  第２のリンク片
２４  支軸
２５  支軸
【図１】
2008027367.tif 000003
【図２】
2008027367.tif 000004
【図３】
2008027367.tif 000005
【図４】
2008027367.tif 000006
【図５】
2008027367.tif 000007
【図６】
2008027367.tif 000008
【図７】
2008027367.tif 000009
【図８】
2008027367.tif 000010
【図９】
2008027367.tif 000011
【図１０】
2008027367.tif 000012